(57)【要約】【課題】車体フレームの表面処理を容易に行うことができ、かつ部品取付けブラケットを車体フレームに確実に固定することができる自動二輪車を提供する。【解決手段】リヤアーム８の左，右のアームヘッド部２４ａ，２５ａの外側に部品取付ブラケット５０ｐ５１が配置され、該部品取付ブラケット５０，５１のボス部５０ｂ，５１ｂはピボット軸１２に固定され、他の一部は該部品取付ブラケット５０，５１と別体のスタンドブラケット７３，排気管支持ブラケット７７を介在させて車体フレーム３に固定されている。【選択図】      図３
2006021625.tif 000002
【特許請求の範囲】
【請求項１】
車体フレームと、該車体フレームのリヤアーム枢支部によりピボット軸を介して上下揺動可能に枢支され、後端部で後輪を支持するリヤアームとを備え、上記リヤアームは、上記ピボット軸が前端の軸受部に挿通される左，右のアームヘッド部を有し、該左，右のアームヘッド部は上記リヤアーム枢支部の車幅方向外側に配置されており、該左，右のアームヘッド部の外側に部品取付けブラケットが配置され、該部品取付けブラケットの一部は上記ピボット軸に固定され、他の一部は上記車体フレームに固定されていることを特徴とする自動二輪車。
【請求項２】
請求項１において、上記部品取付けブラケットの他の一部は、該部品取付ブラケットと別体の中間ブラケットを介在させて上記車体フレームに固定されていることを特徴とする自動二輪車。
【請求項３】
請求項１又は２において、上記部品取付けブラケットの一部には、上記ピボット軸に装着されるボス部が形成されていることを特徴とする自動二輪車。
【請求項４】
請求項２又は３において、車体の一側に配置された中間ブラケットは、サイドスタンドを支持するためのスタンドブラケットであり、該スタンドブラケット，上記部品取付けブラケットはそれぞれ軽合金の鍛造品，ダイキャスト鋳造品であることを特徴とする自動二輪車。
【請求項５】
請求項２又は３において、車体の他側に配置された中間ブラケットは、排気管支持ブラケットであり、該排気管支持ブラケット及び上記部品取付けブラケットは軽合金のダイキャスト鋳造品であることを特徴とする自動二輪車。
【発明の詳細な説明】
【技術分野】
【０００１】
本発明は、車体フレームと、該車体フレームによりピボット軸を介して上下揺動可能に枢支されたリヤアームとを備えた自動二輪車に関し、詳細には部品取付けブラケットの車体フレーム取付け構造に関する。
【背景技術】
【０００２】
例えば、特許文献１に記載された自動二輪車では、フートレストブラケットを車体フレームに取付ける場合に、フートレストブラケット３２の上端部がピボット軸１２によりリヤアーム１３と共に車体フレーム４２に固定され、下端部が車体フレーム４２，４４に設けられた２つのボス部６７，６７にボルト締め固定された構造を採用している（図１０参照）。
【特許文献１】特開平１０−８６８７３号公報
【発明の開示】
【発明が解決しようとする課題】
【０００３】
ところで、上記従来公報では、フートレストブラケットの上端部をピボット軸に固定するとともに、下端部を車体フレームのボス部に固定する構造を採用している。このため車体フレームに予めボス部を形成する必要があり、車体フレームの表面処理を行う際に上記ボス部が邪魔になるという問題がある。例えば、車体フレームをダイキャスト製とした場合の表面平滑処理を行うための仕上げ作業が困難となるおそれがある。即ち、車体フレームの軽量化や外観の向上を図る観点から、ダイキャスト製フレームを採用した場合には、その製法からして金型の耐久性に起因して表面が荒れ易くなる傾向にあることから、フレーム表面をサンダー等により平滑に仕上げる必要がある。このような平滑仕上げを行う場合に、上記ボス部等の凹凸部があると仕上げ作業性が阻害されることから、できるだけ凹凸部を有しない表面性状とするのが好ましい。一方、車体フレームの表面を平滑にすると、部品取付けブラケットを車体フレームに固定する上での工夫が必要となる。
【０００４】
本発明は、上記従来の実情に鑑みてなされたもので、車体フレームの表面処理を容易に行うことができ、かつ部品取付けブラケットを車体フレームに確実に固定することができる自動二輪車を提供することを目的としている。
【課題を解決するための手段】
【０００５】
請求項１の発明は、車体フレームと、該車体フレームのリヤアーム枢支部によりピボット軸を介して上下揺動可能に枢支され、後端部で後輪を支持するリヤアームとを備え、上記リヤアームは、上記ピボット軸が前端の軸受部に挿通される左，右のアームヘッド部を有し、該左，右のアームヘッド部は上記リヤアーム枢支部の車幅方向外側に配置されており、該左，右のアームヘッド部の外側に部品取付けブラケットが配置され、該部品取付けブラケットの一部は上記ピボット軸に固定され、他の一部は上記車体フレームに固定されていることを特徴とする自動二輪車である。
【０００６】
請求項２の発明は、請求項１において、上記部品取付けブラケットの他の一部は、該部品取付ブラケットと別体の中間ブラケットを介在させて上記車体フレームに固定されていることを特徴としている。
【０００７】
請求項３の発明は、請求項１又は２において、上記部品取付けブラケットの一部には、上記ピボット軸に装着されるボス部が形成されていることを特徴としている。
【０００８】
請求項４の発明は、請求項２又は３において、車体の一側に配置された中間ブラケットは、サイドスタンドを支持するためのスタンドブラケットであり、該スタンドブラケット，上記部品取付けブラケットはそれぞれ軽合金の鍛造品，ダイキャスト鋳造品であることを特徴としている。
【０００９】
請求項５の発明は、請求項２又は３において、車体の他側に配置された中間ブラケットは、排気管支持ブラケットであり、該排気管支持ブラケット及び上記部品取付けブラケットは軽合金のダイキャスト鋳造品であることを特徴としている。
【発明の効果】
【００１０】
請求項１の発明に係る自動二輪車によれば、部品取付けブラケットの一部はピボット軸に固定され、他の一部は車体フレームに固定されている。このように構成したので、部品取付けブラケットを車体フレームに固定するためのボス部等の凹凸部を車体フレームに設ける必要がなくなり、車体フレームの表面処理作業を容易に行うことができる。これにより、例えば車体フレームをダイキャスト製とした場合の平滑仕上げ作業が容易となる。
【００１１】
また、部品取付けブラケットの一部をピボット軸に固定し、他の一部を車体フレームに固定したので、リヤアーム枢支部回りの剛性を高めることができる。
【００１２】
請求項２の発明では、部品取付けブラケットを別体の中間ブラケットを介在させて車体フレームに固定している。即ち、部品取付けブラケットと中間ブラケットとを別部品としたので、それぞれの部品に必要な剛性強度等に応じて形状，材質，製造方法を選択でき、コストダウン，軽量化が可能となる。
【００１３】
請求項３の発明では、部品取付けブラケットに、ピボット軸に装着されるボス部を形成したので、部品取付けブラケットの位置決め及び着脱作業が容易である。例えば部品取付けブラケットをピボット軸により挟持固定するようにした場合、部品取付けブラケットの着脱時にピボット軸を抜き取る等の作業が必要となるが、本発明ではこのような作業は不要である。
【００１４】
請求項４の発明では、中間ブラケットをスタンドブラケットとし、該スタンドブラケット，部品取付けブラケットをそれぞれ軽合金の鍛造品，ダイキャスト鋳造品としている。このように車体を支持するスタンドブラケットを鋳造品としたので、該スタンドブラケットに必要とされる剛性，強度の確保が容易である。またスタンドブラケットと部品取付けブラケットとを別部品としたので、鍛造時の絞り量が過大になるのを回避でき、従ってスタンドブラケットを金型鍛造品とすることができる。
【００１５】
請求項５の発明は、中間ブラケットを排気管支持ブラケットとし、該ブラケット及び部品取付ブラケットの両方を軽合金のダイキャスト品からなるものとしたので、鍛造品により構成する場合に比べて低コストとしながら、排気管を支持するのに要する剛性，強度の確保が可能である。
【００１６】
また排気管支持ブラケットは部品取付けブラケットとは別部品であるので、部品取付けブラケット，排気管支持ブラケットの一方は鋳造品とし、他方はダイキャスト品とすることもでき、製造方法上の自由度が高くコストの低減，軽量化が可能である。
【発明を実施するための最良の形態】
【００１７】
以下、本発明の実施の形態を添付図面に基づいて説明する。
【００１８】
図１ないし図１６は、本発明の一実施形態による自動二輪車を説明するための図であり、図１，図２は自動二輪車の側面図，平面図、図３はリヤアームの左側面図、図４はリヤアームのピボット軸の断面図（図３のIV-IV 線断面図) 、図５はリヤアームの平面図、図６はリヤアームの右側面図、図７は図３のVII-VII 線断面図、図８は図６のVIII-VIII 線断面図、図９は図８のIX-IX 線断面図、図１０は左側フートレストブラケットの左側面図、図１１は図１０のXI-XI 線断面図、図１２は図１０のXII-XII 線断面図、図１３は図１０のXIII-XIII 線断面図、図１４は右側フートレストブラケットの右側面図、図１５は図１４のXV-XV 線断面図、図１６は図１４のXVI-XVI 線断面図である。なお、本実施形態でいう前後，左右とはシートに着座した状態での前後，左右を意味する。
【００１９】
図において、１は自動二輪車を示しており、該自動二輪車１は以下の構造を有している。ヘッドパイプ２から車両後方に延びる車体フレーム３内にエンジン４が搭載され、上記ヘッドパイプ２により前輪５を支持するフロントフォーク６が左右操向可能に枢支され、上記車体フレーム３のリヤアームブラケット部３ｂにより後輪７を支持するリヤアーム８がピボット軸１２を介して上下揺動可能に支持され、さらにリヤアーム８と車体側固定部（エンジン）との間に後輪懸架装置１６が配設されている。上記車体フレーム３上には燃料タンク９及びシート１０が配設されている。さらにまた上記エンジン４には車両後方に延びる排気装置２２が接続されている。
【００２０】
上記車体フレーム３は、ダイキャスト鋳造品からなる左，右のフレーム部材をボルト締めにより結合してなる組立式のものである。この左，右のフレーム部材はヘッドパイプ２から左右外側に拡開しつつ後方に延びた後，内側に狭まりつつ斜め下方に延びる左，右のメインフレーム部３ａ，３ａと、該左，右のメインフレーム部３ａ，３ａの後端から略鉛直下方に延びる左，右のリヤアームブラケット部３ｂ，３ｂとを一体形成した構造を有している。
【００２１】
上記左，右のメインフレーム部３ａ，３ａの前端部は上記ヘッドパイプを挟持するように配置されボルトにより締め付け固定されている。また上記左右のリヤアームブラケット部３ｂ，３ｂの下端部同士は車幅方向中心位置にて互いに当接しており、該当接部分がリヤアーム枢支部３ｃとなっている。この左，右リヤアーム枢支部３ｃの表面はサンダー等により仕上げられており、これにより凹凸部のない平滑な表面を有している。また上記左，右のメインフレーム部３ａの後端部には斜め上向きに延びるシートレール（不図示）の前端部が結合されている。この左，右のメインフレーム部３ａ及びリヤアームブラケット部３ｂの下側部分同士に架け渡すように上記エンジン４がボルト締め固定されており、該エンジン４は車体フレーム３の一部を構成する強度部品となっている。
【００２２】
上記リヤアーム８は、横断面略角筒状の左，右のリヤアーム本体２４，２５と、該各リヤアーム本体２４，２５の後輪７より前側直近部分同士を接続するクロス部材２６とを有している。この左，右リヤアーム本体２４，２５の後端部間に上記後輪７が配置されている。リヤアーム本体２４，２５の上記クロス部材２６より前側部分が左，右のアームヘッド部２４ａ，２５ａとなっており、これらの前端には上記ピボット軸１２が挿通される円筒状の軸受部２４ｂ，２５ｂが形成されている。
【００２３】
上記左，右のリヤアーム本体２４，２５の下面には略く字状をなす補強部２４ｃ，２５ｃが下方に凸をなすよう一体形成されており、側方から見ると、全体として概ね逆三角形状をなしている。
【００２４】
上記左，右のアームヘッド部２４ａ，２５ａとクロス部材２６及びピボット軸１２とで囲まれた部分がアームヘッド部空間８ａとなっている（図５参照）。このアームヘッド部空間８ａ内には上記エンジン４に接続された排気管１９の立ち上がり部１９ａがピボット軸１２の下側から上側に向かって立ち上がっている。この立ち上がり部１９ａの上端部には上記シート１０の左，右下縁に沿って斜め上向きに配置された左，右のマフラ２０，２３が接続されている。
【００２５】
上記左，右のアームヘッド部２４ａ，２５ａは、図４に示すように、上記車体フレーム３の左，右のリヤアーム枢支部３ｃ，３ｃの車幅方向外側に配置されている。上記左，右のリヤアーム枢支部３ｃ，３ｃは、上記ピボット軸１２により左，右の軸受部２４ｂ，２５ｂを介して締め付けることにより実質的に単独のフレームとなっている。
【００２６】
上記左，右のリヤアーム枢支部３ｃ，３ｃには車幅方向に貫通して延びるピボット孔３ｄ，３ｄが形成されている。このピボット孔３ｄ内には、リヤアーム枢支部３ｃの外端面に当接して内側への移動が規制された円筒状のストッパ部材４５，４５が挿着されている。
【００２７】
上記ピボット軸１２の右側のストッパ部材４５の外端面には円筒状のカラー部材４６が当接しており、該カラー部材４６はピボット軸１２の段差部１２ａに係合して軸方向外側への移動が規制されている。このカラー部材４６の外周部にはニードル軸受４７を介して上記右アームヘッド部２５ａの軸受部２５ｂが装着されている。
【００２８】
また上記ピボット軸１２の左側のストッパ部材４５の外端面には該ピボット軸１２に装着されたニードル軸受４８のカラー部材４８ａ，ボール軸受４８ｂ，カラー部材４８ｃが順に当接している。そしてピボット軸１２の左端部に螺装されたナット４９を締め付けることにより、左，右のリヤアーム枢支部３ｃは各ストッパ部材４５，カラー部材４６，４８ａ，４８ｃ及び軸受４８ｂを介して互いに挟持結合されている。
【００２９】
上記左，右のアームヘッド部２４ａ，２５ａの車幅方向外側にはそれぞれ部品取付けブラケット５０，５１が配置されている。この左，右の部品取付けブラケット５０，５１は共にアルミニューム合金のダイキャスト鋳造品である。また各部品取付けブラケット５０，５１は、上記ピボット軸１２の軸方向外端面と大略面一となっており、該各部品取付けブラケット５０，５１の車外側にはそれぞれ左，右のフートレストアッシィ５２，５３が配設されている。
【００３０】
上記左側の部品取付けブラケット５０は、主として、図３，図１０〜図１３に示すように、ピボット軸１２が挿入される挿通孔５０ａを有するボス部５０ｂに締め付けスリット５０ｃを有するボルト螺挿部５０ｄを一体形成し、上記ボス部５０ｂに下方に延びる前辺部５０ｅと、後方に延びる後辺部５０ｆと、該後辺部５０ｆと前辺部５０ｅとを連結する下辺部５０ｇとを一体形成した構造を有している。
【００３１】
上記左側のフートレストアッシィ５２は、上記後辺部５０ｆ及び下辺部５０ｇの外側面を覆うように形成された概ね二股形状をなすフートレスブラケット部５２ａと、該ブラケット部５２ａからライダーの足首部分に臨むように斜め上方に延びる菱形状のプロテクタ部５２ｂとを一体形成し、上記フートレストブラケット部５２ａの後端部にフートレスト５５及びシフトペダル５６を装着した構造を有している。
【００３２】
上記シフトペダル５６にはシフトロッド５６ａが連結され、該シフトロッド５６ａは上記ユニットケース４ｃ内の変速機構に連結されている。また上記フートレスト５５の下面先端部にはバンク角センサ５５ａが突出形成されている。さらに上記プロテクタ部５２ｂの外側面には外観の向上を図るための意匠プレート５4 が取付けられている。
【００３３】
上記フートレストアッシィ５２のフートレストブラケット部５２ａは３つのゴム製弾性部材５７，５７，５７を介在させて上記部品取付けブラケット５０により支持されている。該部品取付けブラケット５０の後辺部５０ｆ，下辺部５０ｇ，及び両辺部５０ｆ，５０ｇの接続部５０ｈにはそれぞれ挿着孔５０ｊが形成されている。この各挿着孔５０ｊには上記弾性部材５７が挿入され、車内側から弾性部材５７の軸芯部に挿入されたボルト５８を上記フートレストブラケット部５２ａに締め付けることにより、フートレストアッシィ５２は部品取付けブラケット５０に固定されている。
【００３４】
これにより上記各弾性部材５７及びボルト５８はフートレストアッシィ５２のフートレストブラケット部５２ａにより車両外方から見えないように覆われている。
【００３５】
上記右側の部品取付けブラケット５１は、主として、図６，図１４〜図１６に示すように、該ピボット軸１２が挿入される挿通孔５１ａを有するボス部５１ｂに、締め付けスリット５１ｃを有するボルト螺挿部５１ｄを一体形成し、上記ボス部５１ｂに下方に大略扇状に延びる拡開部５１ｅを一体形成した構造を有している。
【００３６】
上記右側のフートレストアッシィ５３は、上記拡開部５１ｅの後縦辺部５１ｆの外側面を覆うように形成された概ね二股形状をなすフートレストブラケット部５３ａに、該ブラケット部５３ａから、上方に延びるシリンダブラケット部５３ｃと、ライダーの足首部分に臨むように斜め上方に延びる菱形状のプロテクタ部５３ｂとを一体形成し、上記フートレストブラケット部５３ａの後端部にフートレスト６０及びブレーキペダル６１を取り付けた構造を有している。なお、５４は意匠プレート，６０ａはバンク角センサである。
【００３７】
上記シリンダブラケット部５３ｃにはマスタシリンダ６２が取付けられており、該マスタシリンダ６２のピストンロッド６２ａに上記ブレーキペダル６１が連結されている。また上記マスタシリンダ６２には、リザーブホース６３及びブレーキホース６５が接続されており、リザーブホース６３は不図示のリザーブタンクに接続され、ブレーキホース６５は後輪７のディスクブレーキ用キャリパ６４に接続されている。なお、６６はブレーキペダル復帰ばねであり、６７はブレーキランプスイッチである。
【００３８】
上記フートレストアッシィ５３のフートレストブラケット部５３ａは３つのゴム製弾性部材６８，６８，６８を介在させて上記部品取付けブラケット５１により支持されている。この取付けブラケット５１の後縦辺部５１ｅにはそれぞれの中心を結ぶ線が三角形をなすように所定間隔をあけて挿着孔５１ｊが形成されている。この各挿着孔５１ｊには弾性部材６８が挿入され、車内側から弾性部材６８の軸芯部に挿入されたボルト６９を上記フートレストブラケット部５３ａに締め付けることにより、フートレストアッシィ５３は部品取付けブラケット５１に固定されている。
【００３９】
これにより上記各弾性部材６８及びボルト６９はフートレストアッシィ５３のフートレストブラケット部５３ａにより車両外方から見えないように覆われている。
【００４０】
上記左側の部品取付けブラケット５０のボス部５０ｂは挿通孔５０ａを上記ピボット軸１２のナット４９の外周面に装着し、ボルト螺挿部５０ｄに螺挿された締結ボルト７０を締め付けることによりピボット軸１２に固定されている。
【００４１】
また上記部品取付けブラケット５０の前辺部５０ｅの下端部５０ｅ′は、図３，図７に示すように、該取付けブラケット５０とは別体のスタンドブラケット（中間ブラケット）７３を介在させて車外側から螺挿された２本のボルト７４，７４により車体フレーム３のリヤアーム枢支部３ｃに共締め固定されている。
【００４２】
上記スタンドブラケット７３は、上記部品取付けブラケット５０とは異なりアルミニューム合金の鍛造品である。このスタンドブラケット７３は、締結部７３ａと該締結部７３ａから下方に延びる延長部７３ｂとを有しており、該延長部７３ｂにサイドスタンド７５が使用位置と格納位置との間で回動可能に支持されている。
【００４３】
上記右側の部品取付けブラケット５１のボス部５１ｂは、挿通孔５１ａを上記ピボット軸１２の外周面に装着し、ボルト螺挿部５１ｄに螺挿された締結ボルト７１を締め付けることによりピボット軸１２に固定されている。
【００４４】
上記部品取付けブラケット５１の拡開部５１ｅの下辺部５１ｅ′は、図６，図８，図９に示すように、該取付けブラケット５１とは別体の排気管支持ブラケット（中間ブラケット）７７を介在させて車外側から螺挿された２本のボルト７８，７８により上記車体フレーム３のリヤアーム枢支部３ｃに共締め固定されている。
【００４５】
上記排気管支持ブラケット７７はアルミニューム合金のダイキャスト鋳造品である。この排気管支持ブラケット７７は、締結部７７ａと該締結部７７ａから下方に延びる筒体部７７ｂとを有しており、該筒体部７７ｂ内に装着されたゴムダンパ７９を介在させて排気管１９が支持されている。
【００４６】
本実施形態によれば、左，右のアームヘッド部２４ａ，２５ａの車外側に配置されてピボット軸１２に固定された左，右の部品取付けブラケット５０，５１に各弾性部材５７，６８を介在させてフートレストアッシィ５２，５３が取付けられている。このように構成したので、路面等からの振動が弾性部材５７，６８により吸収されることとなり、左，右のフートレスト５５，６０に振動が伝わるのを抑制できる。その結果、乗り心地を向上することができる。
【００４７】
また上記各弾性部材５７，６８及びボルト５８，６９はフートレストアッシィ５２，５３のフートレストブラケット部５２ａ，５３ａにより外側から覆われているので、弾性部材５７，６８及びボルト５８，６９が外方から見えることによる外観の悪化を回避できる。
【００４８】
本実施形態では、左，右のリヤアーム枢支部３ｃは凹凸部を有しないので、車体フレーム３をダイキャスト製とした場合の表面の平滑仕上げ作業が容易である。即ち、車体フレーム３の軽量化や外観の向上を図る観点から、ダイキャスト製フレームを採用した場合には、その製法からして金型の耐久性に起因して表面が荒れ易くなる傾向にある。このためフレーム表面をサンダー等により平滑に仕上げる必要がある。このような平滑仕上げを行う場合に、リヤアーム枢支部３ｃに凹凸部があると仕上げ作業性が阻害されるという問題がある。
【００４９】
本実施形態では、左，右の部品取付けブラケット５０，５１の一部はピボット軸１２の外周面に装着されるボス部５０ｂ，５１ｂを有し、該ボス部５０ｂ，５１ｂを締結ボルト７０，７１により締め付けることによりピボット軸１２に固定されている。このため部品取付けブラケット５０，５１やフートレスト５５，６０のメンテナンスや取り換えを行う場合には、締結ボルト７０，７１及び車体フレームへの固定ボルト７４，７８を弛めるだけで部品取付けブラケット５０，５１をピボット軸１２から取り外すことができ、またピボット軸１２に装着する際の位置決めが容易であり、部品交換等の作業が容易である。即ち、上記従来公報のようにブラケットをリヤアームとともに車体フレームにピボット軸により共締め固定する場合には、ピボット軸を車体フレーム及びリヤアームから外さなければならず、手間のかかる作業となる。
【００５０】
本実施形態によれば、左，右の部品取付けブラケット５０，５１のボス部５０ｂ，５１ｂはピボット軸１２に固定され、左，右の下辺部５０ｅ′，５１ｅ′はそれぞれ別体のスタンドブラケット７３，排気管支持ブラケット７７を介在させて車体フレーム３の左，右のリヤアーム枢支部３ｃに固定されている。このように構成したので、各部品取付けブラケット５０，５１をリヤアーム枢支部３ｃに固定するためのボス部等の凹凸部が不要となり、リヤアーム枢支部３ｃの平滑表面処理を容易に行うことができる。
【００５１】
また上記各部品取付けブラケット５０，５１はそれぞれ別部品であるスタンドブラケット７３，排気管支持ブラケット７７を介在させてリヤアーム枢支部３ｃに固定されているので、各部品取付けブラケット５０，５１及びスタンドブラケット７３，排気管支持ブラケット７７に要求される剛性，強度に応じた形状，材質，製造方法等の選択が可能である。その結果必要な剛性，強度を確保しつつ軽量化、コストダウンを図ることができる。
【００５２】
また上記ピボット軸１２を車体フレーム３の左，右のリヤアーム枢支部３ｃに固定し、該ピボット軸１２の外側に部品取付けブラケット５０，５１を固定し、また該ブラケット５０，５１と車体フレームとの間にはスタンドブラケット７３，排気管支持ブラケット７７を介在させたので、リヤアーム枢支部３ｃ周りの剛性を高めることができる。
【００５３】
本実施形態では、上記スタンドブラケット７３，部品取付けブラケット５０を別部品としたので、それぞれをアルミニューム合金の鍛造品，ダイカスト鋳造品とすることができ、スタンドブラケット７３に要求される車体を支持するための剛性，強度を確保できるとともに、形状の自由度を高めることができ、またコストダウンを図ることができる。。
【００５４】
本実施形態では、排気管支持ブラケット７７及び部品取付ブラケット５１の両方をアルミニューム合金のダイキャスト鋳造品としたので、鍛造品により構成する場合に比べて低コストとしながら排気管１９を支持するのに必要な剛性，強度を確保できる。
【００５５】
また上記排気管支持ブラケット７７と部品取付けブラケット５１とを別部品としたので、該部品取付けブラケット５１，排気管支持ブラケット７７の一方を鋳造品とし、他方をダイキャスト鋳造品とすることも可能である等、製法上の自由度が高く、従ってコストを低減できる製法の選択が可能である。
【図面の簡単な説明】
【００５６】
【図１】本発明の一実施形態による自動二輪車の側面図である。
【図２】上記自動二輪車の平面図である。
【図３】上記自動二輪車のリヤアームの左側面図である。
【図４】上記リヤアームのピボット軸の断面図（図３のIV-IV 線断面図) である。
【図５】上記リヤアームの平面図である。
【図６】上記リヤアームの右側面図である。
【図７】図３のVII-VII 線断面図である。
【図８】図６のVIII-VIII 線断面図である。
【図９】図８のIX-IX 線断面図である。
【図１０】本実施形態の部品取付けブラケットの左側面図である。
【図１１】図１０のXI-XI 線断面図である。
【図１２】図１０のXII-XII 線断面図である。
【図１３】図１０のXIII-XIII 線断面図である。
【図１４】本実施形態の部品取付けブラケットの右側面図である。
【図１５】図１４のXV-XV 線断面図である。
【図１６】図１４のXVI-XVI 線断面図である。
【符号の説明】
【００５７】
１        自動二輪車
３        車体フレーム
３ｃ      リヤアーム枢支部
７        後輪
８        リヤアーム
１２      ピボット軸
２４ａ，２５ａ  アームヘッド部
２４ｂ，２５ｂ  軸受部
５０，５１    部品取付けブラケット
７３      スタンドブラケット（中間ブラケット）
７７      排気管支持ブラケット（中間ブラケット）
【図１】
2006021625.tif 000003
【図２】
2006021625.tif 000004
【図３】
2006021625.tif 000005
【図４】
2006021625.tif 000006
【図５】
2006021625.tif 000007
【図６】
2006021625.tif 000008
【図７】
2006021625.tif 000009
【図８】
2006021625.tif 000010
【図９】
2006021625.tif 000011
【図１０】
2006021625.tif 000012
【図１１】
2006021625.tif 000013
【図１２】
2006021625.tif 000014
【図１３】
2006021625.tif 000015
【図１４】
2006021625.tif 000016
【図１５】
2006021625.tif 000017
【図１６】
2006021625.tif 000018
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
車体フレームと、該車体フレームのリヤアーム枢支部によりピボット軸を介して上下揺動可能に枢支され、後端部で後輪を支持するリヤアームとを備え、上記リヤアームは、上記ピボット軸が前端の軸受部に挿通される左，右のアームヘッド部を有し、該左，右のアームヘッド部は上記リヤアーム枢支部の車幅方向外側に配置されており、該左，右のアームヘッド部の外側に部品取付けブラケットが配置され、該部品取付けブラケットの一部は上記ピボット軸に固定され、他の一部は上記車体フレームに固定されていることを特徴とする自動二輪車。
【請求項２】
請求項１において、上記部品取付けブラケットの他の一部は、該部品取付ブラケットと別体の中間ブラケットを介在させて上記車体フレームに固定されていることを特徴とする自動二輪車。
【請求項３】
請求項１又は２において、上記部品取付けブラケットの一部には、上記ピボット軸に装着されるボス部が形成されていることを特徴とする自動二輪車。
【請求項４】
請求項２又は３において、車体の一側に配置された中間ブラケットは、サイドスタンドを支持するためのスタンドブラケットであり、該スタンドブラケット，上記部品取付けブラケットはそれぞれ軽合金の鍛造品，ダイキャスト鋳造品であることを特徴とする自動二輪車。
【請求項５】
請求項２又は３において、車体の他側に配置された中間ブラケットは、排気管支持ブラケットであり、該排気管支持ブラケット及び上記部品取付けブラケットは軽合金のダイキャスト鋳造品であることを特徴とする自動二輪車。
【請求項６】
左，右のフレーム部材をボルトで締結する組立式の車体フレームと、該車体フレームのリヤアーム枢支部にピボット軸を介して揺動可能に枢支され、後端部で後輪を支持するリヤアームと、上記車体フレームに着脱自在に取り付けられたブラケットとを備え、
上記車体フレームの左，右のリヤアーム枢支部は、上記ピボット軸が挿通される左，右の側壁と、該各側壁から車体中心側に向かって延び、互いに当接する左，右の連結壁とを有し、
上記ブラケットは、上記ピボット軸が挿通される第１ボス部と、上記車体フレームに固定される第２ボス部とを有し、
上記リヤアームは、上記ピボット軸が挿通される左，右のアームヘッド部を有し、該アームヘッド部は上記側壁と上記第１ボス部との間に配置されていることを特徴とする自動二輪車。
【請求項７】
請求項６において、上記リヤアーム枢支部の側壁と連結壁とが一体形成されていることを特徴とする自動二輪車。
【請求項８】
請求項６において、上記リヤアームのアームヘッド部、上記リヤアーム枢支部の側壁及び連結壁が上記ピボット軸で共締めされていることを特徴とする自動二輪車。
【請求項９】
請求項６において、上記ブラケットは、フートレスト，サイドスタンド，又は排気装置部品の何れか１つを上記車体フレームに取り付ける部品取付けブラケットであることを特徴とする自動二輪車。
【請求項１０】
請求項６において、上記ブラケットは、フートレストブラケット，サイドスタンドブラケット，又は排気装置部品支持ブラケットの何れか２つを含むことを特徴とする自動二輪車。
【請求項１１】
請求項６において、上記リヤアーム枢支部の連結壁は、ピボット軸の車体前側及び車体後側に位置するように形成されていることを特徴とする自動二輪車。
【手続補正２】
【補正対象書類名】明細書
【補正対象項目名】全文
【補正方法】変更
【補正の内容】
【発明の詳細な説明】
【技術分野】
【０００１】
本発明は、車体フレームと、該車体フレームによりピボット軸を介して上下揺動可能に枢支されたリヤアームとを備えた自動二輪車に関し、詳細には部品取付けブラケットの車体フレーム取付け構造に関する。
【背景技術】
【０００２】
例えば、特許文献１に記載された自動二輪車では、フートレストブラケットを車体フレームに取付ける場合に、フートレストブラケット３２の上端部がピボット軸１２によりリヤアーム１３と共に車体フレーム４２に固定され、下端部が車体フレーム４２，４４に設けられた２つのボス部６７，６７にボルト締め固定された構造を採用している（図１０参照）。
【特許文献１】特開平１０−８６８７３号公報
【発明の開示】
【発明が解決しようとする課題】
【０００３】
ところで、上記従来公報では、フートレストブラケットの上端部をピボット軸に固定するとともに、下端部を車体フレームのボス部に固定する構造を採用している。このため車体フレームに予めボス部を形成する必要があり、車体フレームの表面処理を行う際に上記ボス部が邪魔になるという問題がある。例えば、車体フレームをダイキャスト製とした場合の表面平滑処理を行うための仕上げ作業が困難となるおそれがある。即ち、車体フレームの軽量化や外観の向上を図る観点から、ダイキャスト製フレームを採用した場合には、その製法からして金型の耐久性に起因して表面が荒れ易くなる傾向にあることから、フレーム表面をサンダー等により平滑に仕上げる必要がある。このような平滑仕上げを行う場合に、上記ボス部等の凹凸部があると仕上げ作業性が阻害されることから、できるだけ凹凸部を有しない表面性状とするのが好ましい。一方、車体フレームの表面を平滑にすると、部品取付けブラケットを車体フレームに固定する上での工夫が必要となる。
【０００４】
本発明は、上記従来の実情に鑑みてなされたもので、車体フレームの表面処理を容易に行うことができ、かつ部品取付けブラケットを車体フレームに確実に固定することができる自動二輪車を提供することを目的としている。
【課題を解決するための手段】
【０００５】
請求項１の発明は、車体フレームと、該車体フレームのリヤアーム枢支部によりピボット軸を介して上下揺動可能に枢支され、後端部で後輪を支持するリヤアームとを備え、上記リヤアームは、上記ピボット軸が前端の軸受部に挿通される左，右のアームヘッド部を有し、該左，右のアームヘッド部は上記リヤアーム枢支部の車幅方向外側に配置されており、該左，右のアームヘッド部の外側に部品取付けブラケットが配置され、該部品取付けブラケットの一部は上記ピボット軸に固定され、他の一部は上記車体フレームに固定されていることを特徴とする自動二輪車である。
【０００６】
請求項２の発明は、請求項１において、上記部品取付けブラケットの他の一部は、該部品取付ブラケットと別体の中間ブラケットを介在させて上記車体フレームに固定されていることを特徴としている。
【０００７】
請求項３の発明は、請求項１又は２において、上記部品取付けブラケットの一部には、上記ピボット軸に装着されるボス部が形成されていることを特徴としている。
【０００８】
請求項４の発明は、請求項２又は３において、車体の一側に配置された中間ブラケットは、サイドスタンドを支持するためのスタンドブラケットであり、該スタンドブラケット，上記部品取付けブラケットはそれぞれ軽合金の鍛造品，ダイキャスト鋳造品であることを特徴としている。
【０００９】
請求項５の発明は、請求項２又は３において、車体の他側に配置された中間ブラケットは、排気管支持ブラケットであり、該排気管支持ブラケット及び上記部品取付けブラケットは軽合金のダイキャスト鋳造品であることを特徴としている。
【００１０】
請求項６の発明は、左，右のフレーム部材をボルトで締結する組立式の車体フレームと、該車体フレームのリヤアーム枢支部にピボット軸を介して揺動可能に枢支され、後端部で後輪を支持するリヤアームと、上記車体フレームに着脱自在に取り付けられたブラケットとを備え、上記車体フレームの左，右のリヤアーム枢支部は、上記ピボット軸が挿通される左，右の側壁と、該各側壁から車体中心側に向かって延び、互いに当接する左，右の連結壁とを有し、上記ブラケットは、上記ピボット軸が挿通される第１ボス部と、上記車体フレームに固定される第２ボス部とを有し、上記リヤアームは、上記ピボット軸が挿通される左，右のアームヘッド部を有し、該アームヘッド部は上記側壁と上記第１ボス部との間に配置されていることを特徴としている。
【００１１】
請求項７の発明は、請求項６において、上記リヤアーム枢支部の側壁と連結壁とが一体形成されていることを特徴としている。
【００１２】
請求項８の発明は、請求項６において、上記リヤアームのアームヘッド部、上記リヤアーム枢支部の側壁及び連結壁が上記ピボット軸で共締めされていることを特徴としている。
【００１３】
請求項９の発明は、請求項６において、上記ブラケットは、フートレスト，サイドスタンド，又は排気装置部品の何れか１つを上記車体フレームに取り付ける部品取付けブラケットであることを特徴としている。
【００１４】
請求項１０の発明は、請求項６において、上記ブラケットは、フートレストブラケット，サイドスタンドブラケット，又は排気装置部品支持ブラケットの何れか２つを含むことを特徴としている。
【００１５】
請求項１１の発明は、請求項６において、上記リヤアーム枢支部の連結壁は、ピボット軸の車体前側及び車体後側に位置するように形成されていることを特徴としている。
【発明の効果】
【００１６】
請求項１の発明に係る自動二輪車によれば、部品取付けブラケットの一部はピボット軸に固定され、他の一部は車体フレームに固定されている。このように構成したので、部品取付けブラケットを車体フレームに固定するためのボス部等の凹凸部を車体フレームに設ける必要がなくなり、車体フレームの表面処理作業を容易に行うことができる。これにより、例えば車体フレームをダイキャスト製とした場合の平滑仕上げ作業が容易となる。
【００１７】
また、部品取付けブラケットの一部をピボット軸に固定し、他の一部を車体フレームに固定したので、リヤアーム枢支部回りの剛性を高めることができる。
【００１８】
請求項２の発明では、部品取付けブラケットを別体の中間ブラケットを介在させて車体フレームに固定している。即ち、部品取付けブラケットと中間ブラケットとを別部品としたので、それぞれの部品に必要な剛性強度等に応じて形状，材質，製造方法を選択でき、コストダウン，軽量化が可能となる。
【００１９】
請求項３の発明では、部品取付けブラケットに、ピボット軸に装着されるボス部を形成したので、部品取付けブラケットの位置決め及び着脱作業が容易である。例えば部品取付けブラケットをピボット軸により挟持固定するようにした場合、部品取付けブラケットの着脱時にピボット軸を抜き取る等の作業が必要となるが、本発明ではこのような作業は不要である。
【００２０】
請求項４の発明では、中間ブラケットをスタンドブラケットとし、該スタンドブラケット，部品取付けブラケットをそれぞれ軽合金の鍛造品，ダイキャスト鋳造品としている。このように車体を支持するスタンドブラケットを鋳造品としたので、該スタンドブラケットに必要とされる剛性，強度の確保が容易である。またスタンドブラケットと部品取付けブラケットとを別部品としたので、鍛造時の絞り量が過大になるのを回避でき、従ってスタンドブラケットを金型鍛造品とすることができる。
【００２１】
請求項５の発明は、中間ブラケットを排気管支持ブラケットとし、該ブラケット及び部品取付ブラケットの両方を軽合金のダイキャスト品からなるものとしたので、鍛造品により構成する場合に比べて低コストとしながら、排気管を支持するのに要する剛性，強度の確保が可能である。
【００２２】
また排気管支持ブラケットは部品取付けブラケットとは別部品であるので、部品取付けブラケット，排気管支持ブラケットの一方は鋳造品とし、他方はダイキャスト品とすることもでき、製造方法上の自由度が高くコストの低減，軽量化が可能である。
【００２３】
請求項６の発明では、連結壁で補強された側壁と車体フレームに固定されて強度を確保したブラケットの間にてリヤアームのアームヘッドを支持したので、リヤアームの支持剛性を高めることができる。なお、連結壁は側壁の内側に設けられているので、車体フレームの表面が連結壁により凸凹になるといったことはなく、従って車体フレームの表面の平滑仕上げに支障が生じることはない。
【発明を実施するための最良の形態】
【００２４】
以下、本発明の実施の形態を添付図面に基づいて説明する。
【００２５】
図１ないし図１６は、本発明の一実施形態による自動二輪車を説明するための図であり、図１，図２は自動二輪車の側面図，平面図、図３はリヤアームの左側面図、図４はリヤアームのピボット軸の断面図（図３のIV-IV 線断面図) 、図５はリヤアームの平面図、図６はリヤアームの右側面図、図７は図３のVII-VII 線断面図、図８は図６のVIII-VIII 線断面図、図９は図８のIX-IX 線断面図、図１０は左側フートレストブラケットの左側面図、図１１は図１０のXI-XI 線断面図、図１２は図１０のXII-XII 線断面図、図１３は図１０のXIII-XIII 線断面図、図１４は右側フートレストブラケットの右側面図、図１５は図１４のXV-XV 線断面図、図１６は図１４のXVI-XVI 線断面図である。なお、本実施形態でいう前後，左右とはシートに着座した状態での前後，左右を意味する。
【００２６】
図において、１は自動二輪車を示しており、該自動二輪車１は以下の構造を有している。ヘッドパイプ２から車両後方に延びる車体フレーム３内にエンジン４が搭載され、上記ヘッドパイプ２により前輪５を支持するフロントフォーク６が左右操向可能に枢支され、上記車体フレーム３のリヤアームブラケット部３ｂにより後輪７を支持するリヤアーム８がピボット軸１２を介して上下揺動可能に支持され、さらにリヤアーム８と車体側固定部（エンジン）との間に後輪懸架装置１６が配設されている。上記車体フレーム３上には燃料タンク９及びシート１０が配設されている。さらにまた上記エンジン４には車両後方に延びる排気装置２２が接続されている。
【００２７】
上記車体フレーム３は、ダイキャスト鋳造品からなる左，右のフレーム部材をボルト締めにより結合してなる組立式のものである。この左，右のフレーム部材はヘッドパイプ２から左右外側に拡開しつつ後方に延びた後，内側に狭まりつつ斜め下方に延びる左，右のメインフレーム部３ａ，３ａと、該左，右のメインフレーム部３ａ，３ａの後端から略鉛直下方に延びる左，右のリヤアームブラケット部３ｂ，３ｂとを一体形成した構造を有している。
【００２８】
上記左，右のメインフレーム部３ａ，３ａの前端部は上記ヘッドパイプを挟持するように配置されボルトにより締め付け固定されている。また上記左右のリヤアームブラケット部３ｂ，３ｂの下端部同士は車幅方向中心位置にて互いに当接しており、該当接部分がリヤアーム枢支部３ｃとなっている。該左，右のリヤアーム枢支部３ｃ，３ｃは、上記ピボット軸１２が挿通される左，右の側壁３ｅ，３ｅと、該各側壁３ｅ、３ｅから車体中心側に向かって延び、互いに当接する左，右の連結壁３ｆ，３ｆとを有する。この左，右リヤアーム枢支部３ｃの表面はサンダー等により仕上げられており、これにより凹凸部のない平滑な表面を有している。また上記左，右のメインフレーム部３ａの後端部には斜め上向きに延びるシートレール（不図示）の前端部が結合されている。この左，右のメインフレーム部３ａ及びリヤアームブラケット部３ｂの下側部分同士に架け渡すように上記エンジン４がボルト締め固定されており、該エンジン４は車体フレーム３の一部を構成する強度部品となっている。
【００２９】
上記リヤアーム８は、横断面略角筒状の左，右のリヤアーム本体２４，２５と、該各リヤアーム本体２４，２５の後輪７より前側直近部分同士を接続するクロス部材２６とを有している。この左，右リヤアーム本体２４，２５の後端部間に上記後輪７が配置されている。リヤアーム本体２４，２５の上記クロス部材２６より前側部分が左，右のアームヘッド部２４ａ，２５ａとなっており、これらの前端には上記ピボット軸１２が挿通される円筒状の軸受部２４ｂ，２５ｂが形成されている。
【００３０】
上記左，右のリヤアーム本体２４，２５の下面には略く字状をなす補強部２４ｃ，２５ｃが下方に凸をなすよう一体形成されており、側方から見ると、全体として概ね逆三角形状をなしている。
【００３１】
上記左，右のアームヘッド部２４ａ，２５ａとクロス部材２６及びピボット軸１２とで囲まれた部分がアームヘッド部空間８ａとなっている（図５参照）。このアームヘッド部空間８ａ内には上記エンジン４に接続された排気管１９の立ち上がり部１９ａがピボット軸１２の下側から上側に向かって立ち上がっている。この立ち上がり部１９ａの上端部には上記シート１０の左，右下縁に沿って斜め上向きに配置された左，右のマフラ２０，２３が接続されている。
【００３２】
上記左，右のアームヘッド部２４ａ，２５ａは、図４に示すように、上記車体フレーム３の左，右のリヤアーム枢支部３ｃ，３ｃの車幅方向外側に配置されている。上記左，右のリヤアーム枢支部３ｃ，３ｃは、上記ピボット軸１２により左，右の軸受部２４ｂ，２５ｂを介して締め付けることにより実質的に単独のフレームとなっている。
【００３３】
上記左，右のリヤアーム枢支部３ｃ，３ｃには車幅方向に貫通して延びるピボット孔３ｄ，３ｄが形成されている。このピボット孔３ｄ内には、リヤアーム枢支部３ｃの外端面に当接して内側への移動が規制された円筒状のストッパ部材４５，４５が挿着されている。
【００３４】
上記ピボット軸１２の右側のストッパ部材４５の外端面には円筒状のカラー部材４６が当接しており、該カラー部材４６はピボット軸１２の段差部１２ａに係合して軸方向外側への移動が規制されている。このカラー部材４６の外周部にはニードル軸受４７を介して上記右アームヘッド部２５ａの軸受部２５ｂが装着されている。
【００３５】
また上記ピボット軸１２の左側のストッパ部材４５の外端面には該ピボット軸１２に装着されたニードル軸受４８のカラー部材４８ａ，ボール軸受４８ｂ，カラー部材４８ｃが順に当接している。そしてピボット軸１２の左端部に螺装されたナット４９を締め付けることにより、左，右のリヤアーム枢支部３ｃは各ストッパ部材４５，カラー部材４６，４８ａ，４８ｃ及び軸受４８ｂを介して互いに挟持結合されている。
【００３６】
上記左，右のアームヘッド部２４ａ，２５ａの車幅方向外側にはそれぞれ部品取付けブラケット５０，５１が配置されている。この左，右の部品取付けブラケット５０，５１は共にアルミニューム合金のダイキャスト鋳造品である。また各部品取付けブラケット５０，５１は、上記ピボット軸１２の軸方向外端面と大略面一となっており、該各部品取付けブラケット５０，５１の車外側にはそれぞれ左，右のフートレストアッシィ５２，５３が配設されている。
【００３７】
上記左側の部品取付けブラケット５０は、主として、図３，図１０〜図１３に示すように、ピボット軸１２が挿入される挿通孔５０ａを有するボス部（第１ボス部）５０ｂに締め付けスリット５０ｃを有するボルト螺挿部５０ｄを一体形成し、上記ボス部５０ｂに下方に延びる前辺部５０ｅと、後方に延びる後辺部５０ｆと、該後辺部５０ｆと前辺部５０ｅとを連結する下辺部５０ｇとを一体形成した構造を有している。
【００３８】
上記左側のフートレストアッシィ５２は、上記後辺部５０ｆ及び下辺部５０ｇの外側面を覆うように形成された概ね二股形状をなすフートレスブラケット部５２ａと、該ブラケット部５２ａからライダーの足首部分に臨むように斜め上方に延びる菱形状のプロテクタ部５２ｂとを一体形成し、上記フートレストブラケット部５２ａの後端部にフートレスト５５及びシフトペダル５６を装着した構造を有している。
【００３９】
上記シフトペダル５６にはシフトロッド５６ａが連結され、該シフトロッド５６ａは上記ユニットケース４ｃ内の変速機構に連結されている。また上記フートレスト５５の下面先端部にはバンク角センサ５５ａが突出形成されている。さらに上記プロテクタ部５２ｂの外側面には外観の向上を図るための意匠プレート５4 が取付けられている。
【００４０】
上記フートレストアッシィ５２のフートレストブラケット部５２ａは３つのゴム製弾性部材５７，５７，５７を介在させて上記部品取付けブラケット５０により支持されている。該部品取付けブラケット５０の後辺部５０ｆ，下辺部５０ｇ，及び両辺部５０ｆ，５０ｇの接続部５０ｈにはそれぞれ挿着孔５０ｊが形成されている。この各挿着孔５０ｊには上記弾性部材５７が挿入され、車内側から弾性部材５７の軸芯部に挿入されたボルト５８を上記フートレストブラケット部５２ａに締め付けることにより、フートレストアッシィ５２は部品取付けブラケット５０に固定されている。
【００４１】
これにより上記各弾性部材５７及びボルト５８はフートレストアッシィ５２のフートレストブラケット部５２ａにより車両外方から見えないように覆われている。
【００４２】
上記右側の部品取付けブラケット５１は、主として、図６，図１４〜図１６に示すように、該ピボット軸１２が挿入される挿通孔５１ａを有するボス部（第１ボス部）５１ｂに、締め付けスリット５１ｃを有するボルト螺挿部５１ｄを一体形成し、上記ボス部５１ｂに下方に大略扇状に延びる拡開部５１ｅを一体形成した構造を有している。
【００４３】
上記右側のフートレストアッシィ５３は、上記拡開部５１ｅの後縦辺部（第２ボス部）５１ｆの外側面を覆うように形成された概ね二股形状をなすフートレストブラケット部５３ａに、該ブラケット部５３ａから、上方に延びるシリンダブラケット部５３ｃと、ライダーの足首部分に臨むように斜め上方に延びる菱形状のプロテクタ部５３ｂとを一体形成し、上記フートレストブラケット部５３ａの後端部にフートレスト６０及びブレーキペダル６１を取り付けた構造を有している。なお、５４は意匠プレート，６０ａはバンク角センサである。
【００４４】
上記シリンダブラケット部５３ｃにはマスタシリンダ６２が取付けられており、該マスタシリンダ６２のピストンロッド６２ａに上記ブレーキペダル６１が連結されている。また上記マスタシリンダ６２には、リザーブホース６３及びブレーキホース６５が接続されており、リザーブホース６３は不図示のリザーブタンクに接続され、ブレーキホース６５は後輪７のディスクブレーキ用キャリパ６４に接続されている。なお、６６はブレーキペダル復帰ばねであり、６７はブレーキランプスイッチである。
【００４５】
上記フートレストアッシィ５３のフートレストブラケット部５３ａは３つのゴム製弾性部材６８，６８，６８を介在させて上記部品取付けブラケット５１により支持されている。この取付けブラケット５１の後縦辺部５１ｅにはそれぞれの中心を結ぶ線が三角形をなすように所定間隔をあけて挿着孔５１ｊが形成されている。この各挿着孔５１ｊには弾性部材６８が挿入され、車内側から弾性部材６８の軸芯部に挿入されたボルト６９を上記フートレストブラケット部５３ａに締め付けることにより、フートレストアッシィ５３は部品取付けブラケット５１に固定されている。
【００４６】
これにより上記各弾性部材６８及びボルト６９はフートレストアッシィ５３のフートレストブラケット部５３ａにより車両外方から見えないように覆われている。
【００４７】
上記左側の部品取付けブラケット５０のボス部５０ｂは挿通孔５０ａを上記ピボット軸１２のナット４９の外周面に装着し、ボルト螺挿部５０ｄに螺挿された締結ボルト７０を締め付けることによりピボット軸１２に固定されている。
【００４８】
また上記部品取付けブラケット５０の前辺部５０ｅの下端部（第２ボス部）５０ｅ′は、図３，図７に示すように、該取付けブラケット５０とは別体のスタンドブラケット（中間ブラケット）７３を介在させて車外側から螺挿された２本のボルト７４，７４により車体フレーム３のリヤアーム枢支部３ｃに共締め固定されている。
【００４９】
上記スタンドブラケット７３は、上記部品取付けブラケット５０とは異なりアルミニューム合金の鍛造品である。このスタンドブラケット７３は、締結部７３ａと該締結部７３ａから下方に延びる延長部７３ｂとを有しており、該延長部７３ｂにサイドスタンド７５が使用位置と格納位置との間で回動可能に支持されている。
【００５０】
上記右側の部品取付けブラケット５１のボス部５１ｂは、挿通孔５１ａを上記ピボット軸１２の外周面に装着し、ボルト螺挿部５１ｄに螺挿された締結ボルト７１を締め付けることによりピボット軸１２に固定されている。
【００５１】
上記部品取付けブラケット５１の拡開部５１ｅの下辺部５１ｅ′は、図６，図８，図９に示すように、該取付けブラケット５１とは別体の排気管支持ブラケット（中間ブラケット）７７を介在させて車外側から螺挿された２本のボルト７８，７８により上記車体フレーム３のリヤアーム枢支部３ｃに共締め固定されている。
【００５２】
上記排気管支持ブラケット７７はアルミニューム合金のダイキャスト鋳造品である。この排気管支持ブラケット７７は、締結部７７ａと該締結部７７ａから下方に延びる筒体部７７ｂとを有しており、該筒体部７７ｂ内に装着されたゴムダンパ７９を介在させて排気管１９が支持されている。
【００５３】
本実施形態によれば、左，右のアームヘッド部２４ａ，２５ａの車外側に配置されてピボット軸１２に固定された左，右の部品取付けブラケット５０，５１に各弾性部材５７，６８を介在させてフートレストアッシィ５２，５３が取付けられている。このように構成したので、路面等からの振動が弾性部材５７，６８により吸収されることとなり、左，右のフートレスト５５，６０に振動が伝わるのを抑制できる。その結果、乗り心地を向上することができる。
【００５４】
また上記各弾性部材５７，６８及びボルト５８，６９はフートレストアッシィ５２，５３のフートレストブラケット部５２ａ，５３ａにより外側から覆われているので、弾性部材５７，６８及びボルト５８，６９が外方から見えることによる外観の悪化を回避できる。
【００５５】
本実施形態では、左，右のリヤアーム枢支部３ｃは凹凸部を有しないので、車体フレーム３をダイキャスト製とした場合の表面の平滑仕上げ作業が容易である。即ち、車体フレーム３の軽量化や外観の向上を図る観点から、ダイキャスト製フレームを採用した場合には、その製法からして金型の耐久性に起因して表面が荒れ易くなる傾向にある。このためフレーム表面をサンダー等により平滑に仕上げる必要がある。このような平滑仕上げを行う場合に、リヤアーム枢支部３ｃに凹凸部があると仕上げ作業性が阻害されるという問題がある。
【００５６】
本実施形態では、左，右の部品取付けブラケット５０，５１の一部はピボット軸１２の外周面に装着されるボス部５０ｂ，５１ｂを有し、該ボス部５０ｂ，５１ｂを締結ボルト７０，７１により締め付けることによりピボット軸１２に固定されている。このため部品取付けブラケット５０，５１やフートレスト５５，６０のメンテナンスや取り換えを行う場合には、締結ボルト７０，７１及び車体フレームへの固定ボルト７４，７８を弛めるだけで部品取付けブラケット５０，５１をピボット軸１２から取り外すことができ、またピボット軸１２に装着する際の位置決めが容易であり、部品交換等の作業が容易である。即ち、上記従来公報のようにブラケットをリヤアームとともに車体フレームにピボット軸により共締め固定する場合には、ピボット軸を車体フレーム及びリヤアームから外さなければならず、手間のかかる作業となる。
【００５７】
本実施形態によれば、左，右の部品取付けブラケット５０，５１のボス部５０ｂ，５１ｂはピボット軸１２に固定され、左，右の下辺部５０ｅ′，５１ｅ′はそれぞれ別体のスタンドブラケット７３，排気管支持ブラケット７７を介在させて車体フレーム３の左，右のリヤアーム枢支部３ｃに固定されている。このように構成したので、各部品取付けブラケット５０，５１をリヤアーム枢支部３ｃに固定するためのボス部等の凹凸部が不要となり、リヤアーム枢支部３ｃの平滑表面処理を容易に行うことができる。
【００５８】
また上記各部品取付けブラケット５０，５１はそれぞれ別部品であるスタンドブラケット７３，排気管支持ブラケット７７を介在させてリヤアーム枢支部３ｃに固定されているので、各部品取付けブラケット５０，５１及びスタンドブラケット７３，排気管支持ブラケット７７に要求される剛性，強度に応じた形状，材質，製造方法等の選択が可能である。その結果必要な剛性，強度を確保しつつ軽量化、コストダウンを図ることができる。
【００５９】
また上記ピボット軸１２を車体フレーム３の左，右のリヤアーム枢支部３ｃに固定し、該ピボット軸１２の外側に部品取付けブラケット５０，５１を固定し、また該ブラケット５０，５１と車体フレームとの間にはスタンドブラケット７３，排気管支持ブラケット７７を介在させたので、リヤアーム枢支部３ｃ周りの剛性を高めることができる。
【００６０】
本実施形態では、上記スタンドブラケット７３，部品取付けブラケット５０を別部品としたので、それぞれをアルミニューム合金の鍛造品，ダイカスト鋳造品とすることができ、スタンドブラケット７３に要求される車体を支持するための剛性，強度を確保できるとともに、形状の自由度を高めることができ、またコストダウンを図ることができる。。
【００６１】
本実施形態では、排気管支持ブラケット７７及び部品取付ブラケット５１の両方をアルミニューム合金のダイキャスト鋳造品としたので、鍛造品により構成する場合に比べて低コストとしながら排気管１９を支持するのに必要な剛性，強度を確保できる。
【００６２】
また上記排気管支持ブラケット７７と部品取付けブラケット５１とを別部品としたので、該部品取付けブラケット５１，排気管支持ブラケット７７の一方を鋳造品とし、他方をダイキャスト鋳造品とすることも可能である等、製法上の自由度が高く、従ってコストを低減できる製法の選択が可能である。
【図面の簡単な説明】
【００６３】
【図１】本発明の一実施形態による自動二輪車の側面図である。
【図２】上記自動二輪車の平面図である。
【図３】上記自動二輪車のリヤアームの左側面図である。
【図４】上記リヤアームのピボット軸の断面図（図３のIV-IV 線断面図) である。
【図５】上記リヤアームの平面図である。
【図６】上記リヤアームの右側面図である。
【図７】図３のVII-VII 線断面図である。
【図８】図６のVIII-VIII 線断面図である。
【図９】図８のIX-IX 線断面図である。
【図１０】本実施形態の部品取付けブラケットの左側面図である。
【図１１】図１０のXI-XI 線断面図である。
【図１２】図１０のXII-XII 線断面図である。
【図１３】図１０のXIII-XIII 線断面図である。
【図１４】本実施形態の部品取付けブラケットの右側面図である。
【図１５】図１４のXV-XV 線断面図である。
【図１６】図１４のXVI-XVI 線断面図である。
【符号の説明】
【００６４】
１        自動二輪車
３        車体フレーム
３ｃ      リヤアーム枢支部
７        後輪
８        リヤアーム
１２      ピボット軸
２４ａ，２５ａ  アームヘッド部
２４ｂ，２５ｂ  軸受部
５０，５１    部品取付けブラケット
７３      スタンドブラケット（中間ブラケット）
７７      排気管支持ブラケット（中間ブラケット）
【手続補正３】
【補正対象書類名】図面
【補正対象項目名】図４
【補正方法】変更
【補正の内容】
【図４】
2006021625.tif 000019